(57)【特許請求の範囲】
【請求項１】
シャッタを開閉制御し取引媒体を挿入排出する自動取引装置において、
前記取引媒体の受取りを検知する媒体受取り検知手段と、
前記シャッタを開いてから前記取引媒体を受け取るまでの経過時間を監視する経過時間監視手段と、
顧客が装置近傍にいるか立ち去ったかどうか検知する顧客検知手段と、
顧客の画像を取得する画像取得手段と、
前記取得した画像により顧客の特徴を抽出し識別する顧客識別手段と、を備え、
顧客の立ち去りを検知した場合で、前記経過時間が第１の監視時間を経過したときと、前記第１の監視時間を経過する前に再び人を検知し当該人の前記特徴が取引開始時の顧客の前記特徴と異なるときは、前記シャッタを閉じるようにしたことを特徴とする自動取引装置。
【請求項２】
顧客を継続して検知した場合で、前記経過時間が第２の監視時間を経過したときは、前記シャッタを閉じるようにしたことを特徴とする請求項１記載の自動取引装置。
【請求項３】
顔画像を抽出する顔画像抽出手段を備え、
前記経過時間が前記第１の監視時間を経過する前に再び顧客を検知したときに顧客のほかに別の顔画像が抽出されたときは、前記シャッタを閉じるようにしたことを特徴とする請求項１記載の自動取引装置。
【請求項４】
顧客の立ち去りを検知した場合で、前記経過時間が前記第１の監視時間を経過する前に再び人を検知したときは、一旦前記シャッタを閉じ、当該人の前記特徴が取引開始時の顧客の前記特徴と一致したときは、前記シャッタを開くようにしたことを特徴とする請求項１記載の自動取引装置。
【請求項５】
前記顧客検知手段は、カメラ部により取得した画像又は接近センサにより検知するようにしたことを特徴とする請求項１記載の自動取引装置。
【請求項６】
前記顧客識別手段は、顧客の顔認識またはアイリス認識としたことを特徴とする請求項１記載の自動取引装置。
【請求項７】
前記取引媒体は、現金、カードまたは通帳であることを特徴とする請求項１記載の自動取引装置。
【請求項８】
前記取引媒体の金額が所定の額より少ない場合は前記シャッタを開いたままとするようにしたことを特徴とする請求項１ないし請求項４いずれか記載の自動取引装置。
【請求項９】
前記取引媒体の金額に基づいて第１の監視時間および第２の監視時間を変化させるようにしたことを特徴とする請求項１ないし請求項４いずれか記載の自動取引装置。
【請求項１０】
前記取引媒体の取り忘れを報知する報知手段を備え、
前記取引媒体の金額に基づいて前記報知をするか否かを判定し、顧客が前記取引媒体を取り忘れて立ち去ったときは、前記判定結果に基づいて報知または報知しないようにしたことを特徴とする請求項１記載の自動取引装置。
【発明の詳細な説明】
【技術分野】
【０００１】
本発明は、現金自動預払機や現金処理装置などの自動取引装置の入出金口等に設けられるシャッタの開閉制御に関するものである。
【背景技術】
【０００２】
一般に、現金自動預払機や現金処理装置などの自動取引装置では、紙幣や硬貨の現金を取扱うため高い防盗性が必要であり、現金を投入したり出金したりする筐体の開口部にシャッタを設け、入出金する時のみ当該シャッタを開き、その他の時は閉じてロックできるようになっている。
【０００３】
そして、出金取引の際では、現金を出金してから顧客が継続しているが所定の時間を経過しても現金の受取りがなかった場合や、現金の受取りをせずに顧客が立ち去ってから所定の時間を経過した場合、シャッタを閉じて一度出金された現金を装置内に収納し、出金された現金を不正に持ち去られることを防止するようになっている。
【０００４】
そして、さらに、防盗性を高くするとともに取り忘れに気が付いて戻った顧客がすぐに取り忘れた現金を受け取れるように、現金受取口に排出した現金の受取りが現金検出センサにより検出されず、距離判定部により顧客が自動取引装置より離れたと判定すると、シャッタを閉じ現金を現金受取口に残した状態で一定時間ウェイトさせ、一定時間内に顧客を特定する情報を入力して情報が一致した場合にシャッタを解放する技術はあった（例えば、特許文献１参照）。
【先行技術文献】
【特許文献】
【０００５】
【特許文献１】特開２００９−７０１９９号公報
【発明の概要】
【発明が解決しようとする課題】
【０００６】
しかしながら、上記従来の自動取引装置では、シャッタがすぐに閉じられ、防盗性は高くなるが、取り忘れた現金が見えなくなり、取り忘れに気が付いて戻ってもシャッタが閉じられており、取り忘れた現金を受け取ることを諦めてしまうという問題があり、また、取り忘れた現金を返却するにはシャッタを開く動作も必要となるという問題があった。
【課題を解決するための手段】
【０００７】
本発明は、前述の課題を解決するため次の構成を採用する。すなわち、シャッタを開閉制御し取引媒体を挿入排出する自動取引装置において、前記取引媒体の受取りを検知する媒体受取り検知手段と、前記シャッタを開いてから前記取引媒体を受け取るまでの経過時間を監視する経過時間監視手段と、顧客が装置近傍にいるか立ち去ったかどうかを検知する顧客検知手段と、顧客の画像を取得する画像取得手段と、前記取得した画像により顧客の特徴を抽出し識別する顧客識別手段と、を備え、顧客の立ち去りを検知した場合で、前記経過時間が第１の監視時間を経過したときと、前記第１の監視時間を経過する前に再び人を検知し当該人の前記特徴が取引開始時の顧客の前記特徴と異なるときは、前記シャッタを閉じるようにした。
【発明の効果】
【０００８】
本発明の自動取引装置によれば、以上のように構成したので、できるだけ長くシャッタを開けた状態で取り忘れた現金を入出金部に保持して取り忘れに気が付いて戻った顧客がすぐに取り忘れた現金を受け取ることができるようにし、かつ、取り忘れた現金を他人に持ち去られるおそれを最小限にすることができる。
【図面の簡単な説明】
【０００９】
【図１】実施例１の自動取引装置の構成を示す外観斜視図である。
【図２】実施例１の自動取引装置の制御系ブロック図である。
【図３】実施例１の自動取引装置の動作フローチャート図である。
【図４】実施例１の自動取引装置のタイムチャート図である。
【図５】実施例２の自動取引装置の構成を示す外観斜視図である。
【図６】実施例２の自動取引装置の制御系ブロック図である。
【図７】実施例２の自動取引装置の動作フローチャート図である。
【発明を実施するための形態】
【００１０】
以下、本発明に係わる実施の形態例を、図面を用いて説明する。図面に共通する要素には同一の符号を付す。なお、以下の説明では、取引媒体および取り忘れ媒体として紙幣を例として説明するが、硬貨であってもよいし、カードや通帳であってもよいし、取引として出金取引をその一例として説明するが、入金取引であってもよい。
【実施例１】
【００１１】
（構成）
図１は、実施例１の自動取引装置の構成を示す外観斜視図である。同図に示したように、実施例１の自動取引装置１は、紙幣の入出金口となる紙幣入出金部４と、硬貨の入出金口となる硬貨入出金部５と、操作画面等を表示するＬＣＤ上に取引選択等の入力を行う透明タッチパネルを積層してなる操作部６と、通帳の挿入排出を行う通帳挿入口３と、キャッシュカード等の挿入排出を行うカード挿入口２とを備える。
【００１２】
前述の紙幣入出金部４および硬貨入出金部５には開閉可能なシャッタ１４、１５がそれぞれ備えられている。また、装置前面の上部には顧客の画像を取得する顧客検知手段および画像取得手段としてのカメラ部７が設けられている。
【００１３】
図２は、実施例１の自動取引装置１の制御系の構成を示す制御系ブロック図である。すなわち、自動取引装置１の制御系は、後述の各部の制御を行う主制御部９と、前述の操作部６と、キャッシュカード等に記録された情報のリードライトを行うカード処理部２１と、操作ガイダンスやアラーム音等を音声またはブザー音として出力する報知手段としてのスピーカ部２２と、通帳の磁気ストライプのリードライトおよび通帳への印字制御を行う通帳処理部２３と、紙幣の入出金制御を行う紙幣処理部２４と、硬貨の入出金制御を行う硬貨処理部２５が備えられている。
【００１４】
また、実施例１の自動取引装置１の制御系は、紙幣処理部２４と硬貨処理部２５のシャッタ１４、１５と、取引制御プログラムや顧客識別手段としての顔認識プログラム１０ａ等のプログラムおよび各種制御パラメータなどを記憶する記憶部１０と、紙幣等の受取りの時間監視を行うための経過時間監視手段としてのタイマー部１２と、図示しないホストコンピュータとのインタフェイスを制御するインタフェイス部１１とを備える。
【００１５】
（動作）
以上の構成により実施例１の自動取引装置は、以下のように動作する。この動作を、図３の動作フローチャート図および図４のタイムチャート図を用いて以下詳細に説明する。
【００１６】
まず、カメラ部７にて顧客の接近を監視し、顧客が自動取引装置１に近づき顧客の接近を検知すると、最初の取引選択画面を操作部６に表示する（ステップＳ０１）。このとき、操作部６を操作する顧客の画像を画像取得手段としてのカメラ部７にて撮影し画像を取得する（ステップＳ０２）。なお、画像の取得は、他の処理と併行して行ってもよいし、複数回実施して取得画像の精度を向上させるようにしてもよい。
【００１７】
次に、撮影された顧客画像から記憶部１０内に格納された顔認識プログラム１０ａ等により顔画像の特徴を抽出し（ステップＳ０３）、抽出された特徴データを記憶部１０に格納する（ステップＳ０４）。このとき、特徴データとともに顔画像データも格納するようにしてもよい。
【００１８】
そして、操作部６に表示された取引選択画面にて、顧客が出金取引を選択し、所望の出金金額を指定し、カード挿入口２からカードを挿入し暗証番号の入力による本人確認を終了すると、指定された紙幣を紙幣入出金部４に出金し、シャッタ１４を開く（ステップＳ０５）。
【００１９】
そして、タイマー部１２にて時間監視を開始する（ステップＳ０６、図４のタイミングｔ０）。なお、紙幣の受取りがあったかどうかの検知は媒体受取り検知手段として紙幣入出金部４に光学センサ等を設け当該光学センサにて紙幣が紙幣入金部４に残されているかどうかを検知するようにすればよい。
【００２０】
そして、顧客検知手段としてのカメラ部７にて顧客を監視し、顧客が自動取引装置１近傍におり、顧客の顔が継続して検出できているか立ち去ったかどうかを検知する（ステップＳ０７、図４のタイミングｔｊ）。
【００２１】
そして、顧客の顔が継続して検出できているときは、ステップＳ１４に進み、第２の監視時間Ｔ２を経過したかどうかを確認し、第２の監視時間Ｔ２を経過している場合は、顧客が継続している場合の受取りタイムアウトである図４（２）のケースとなっており、シャッタ１４を閉じ（ステップＳ１８）、出金取引を終了する。
【００２２】
一方、ステップＳ１４にて、第２の監視時間Ｔ２を経過していないときは、紙幣が受け取られ紙幣が残されているどうかを前述のように光学センサ等にて確認し（ステップＳ１５）、受け取られて紙幣が検知されないときは、正常終了としてシャッタ１４を閉じて、出金取引を終了する（ステップＳ１６）。ステップＳ１５の紙幣の受取りがあったかどうかの確認にて、紙幣が受け取られておらず紙幣が検知された場合は、ステップＳ０７に戻り、顧客が自動取引装置１近傍にいるかどうかを確認する。
【００２３】
そして、ステップＳ０７にて、顧客が自動取引装置１近傍におらず、顧客の顔を検出できないときは、第１の監視時間Ｔ１を経過したかどうかを確認し（ステップＳ０８）、当該時間を経過している場合は、顧客が紙幣を取り忘れて立ち去った場合の受取りタイムアウトである図４（１）（ｂ）のケースとなっており、シャッタ１４を閉じ（ステップＳ１８）、出金取引を終了する。
【００２４】
一方、ステップＳ０８の第１の監視時間Ｔ１の経過の確認において、第１の監視時間Ｔ１を経過していないときは、カメラ部７により顧客の画像を取得し（ステップＳ０９）、取得した画像から人を検出したか、すなわち顔画像を抽出ができたかどうかを確認する（ステップＳ１０）。
【００２５】
そして、顔画像の抽出ができず、人が自動取引装置１の近傍にいないと判定したときは、ステップＳ０８に戻り、第１の監視時間Ｔ１を経過しているどうかの判定を行い以降の動作を繰り返す。
【００２６】
一方、ステップＳ１０にて、顔画像の抽出ができ、人が自動取引装置１の近傍にいると判定したときは、ステップＳ０９にて取得した顧客の画像から顔画像の特徴を顔認識プログラム１０ａにより抽出する（ステップＳ１１）。
【００２７】
そして、ステップＳ０４にてすでに格納してある取引開始時の顧客の特徴とのマッチングを行い（ステップＳ１２）、同一人物であると判定したときは（ステップＳ１３）、ステップＳ１４に進み、第２の監視時間Ｔ２を経過したかどうかを確認し、以降同様の動作を繰り返す。
【００２８】
一方、ステップＳ１３にて、同一人物でないと判定したときは、顧客が立ち去って第１の監視時間Ｔ１の経過前に人を検知し同一人でないと判定した場合である図４（１）（ａ）のケースとなっており、タイミングｔｘにてシャッタ１４を閉じ（ステップＳ１７）、出金取引を終了する。この場合、第１の監視時間Ｔ１および第２の監視時間Ｔ２を経過する前であってもシャッタ１４を閉めることになる。
【００２９】
ここで、以上の実施例１の説明では、紙幣入出金部４に出金または投入された紙幣を装置内に取り込む動作については説明しなかったが、ステップＳ１６〜Ｓ１８のシャッタ１４を閉じる動作と同時に紙幣を装置内に取り込むようにしてもよいし、所定の時間経過後に紙幣を装置内に取り込むようにしてもよい。
【００３０】
（実施例１の効果）
以上のように、実施例１の自動取引装置によれば、シャッタを開閉制御し紙幣を挿入排出する自動取引装置において、前記紙幣の受取りを検知する紙幣受取り検知手段と、前記シャッタを開いてから前記紙幣を受け取るまでの経過時間を監視する経過時間監視手段と、顧客が装置近傍にいるか立ち去ったかどうかを検知する顧客検知手段と、顧客の画像を取得する画像取得手段と、前記取得した画像により顧客の特徴を抽出し識別する顧客識別手段と、を備え、顧客の立ち去りを検知した場合で、前記経過時間が第１の監視時間を経過したときと、前記第１の監視時間を経過する前に再び人を検知し当該人の前記特徴が取引開始時の顧客の前記特徴と異なるときは、前記シャッタを閉じるようにしたので、できるだけ長くシャッタを開けた状態で取り忘れた紙幣を入出金部に保持して取り忘れに気が付いて戻った顧客がすぐに取り忘れた紙幣を受け取ることができるようにし、かつ、取り忘れた紙幣を他人に持ち去られるおそれを最小限にすることができる。
【実施例２】
【００３１】
（構成）
図５は、実施例２の自動取引装置１の構成を示す外観斜視図であり、図６は実施例２の自動取引装置１の制御系の構成を示す制御系ブロック図である。同図に示したように、実施例２の自動取引装置１では、顧客が自動取引装置１の近傍にいるか立ち去ったかを検知する顧客検知手段としての顧客検知センサ部８を装置前面に新たに設けた構成となっている。
【００３２】
この顧客検知センサ部８は、超音波や赤外光を放出しその反射量を検知することにより顧客の有無を検知できる接近センサとして超音波センサや赤外線センサ等を用いればよい。その他の構成は実施例１の構成と同様であるので簡略化のためにその詳細な説明は省略する。
【００３３】
（動作）
以上の構成により、実施例２の自動取引装置は、以下のように動作する。この動作を図７の動作フローチャート図および実施例１にて説明した前述の図４のタイムチャート図を用いて以下詳細に説明する。実施例２の自動取引装置１では図７に示したように、自動取引装置１近傍にいる顧客の検知にかかる動作が異なっている。
【００３４】
すなわち、顧客の接近を検知するステップＳ２１が実施例１のＳ０１と異なり、さらに、図３の実施例１のカメラ部７により顧客の画像取得を行うステップＳ０９に相当するステップを削除し同処理を行うステップＳ３０を新たに追加している。その他の動作は、実施例１の動作と同様であるので、同様の動作についてはその説明を簡略化する。
【００３５】
まず、顧客が自動取引装置１に近づき、顧客検知センサ部８にて顧客が接近したと検知したときは、最初の取引選択画面を操作部６に表示する（ステップＳ２１）。このとき、操作部６を操作している顧客の画像をカメラ部７にて撮影し画像を取得する（ステップＳ２２）。
【００３６】
次に、撮影された顧客画像から記憶部１０内に格納された顔認識プログラム１０ａ等により顔画像の特徴を抽出し、抽出された特徴データを記憶部１０に格納する（ステップＳ２３、Ｓ２４）。
【００３７】
そして、操作部６に表示された取引選択画面にて、顧客が出金取引を選択し、所望の出金金額を指定し、カード挿入口２からカードを挿入し暗証番号の入力による本人確認を終了すると、指定された紙幣を紙幣入出金部４に出金し、シャッタ１４を開く（ステップＳ２５）。
【００３８】
そして、タイマー部１２にて時間監視を開始し、顧客検知センサ部８により顧客を監視し、顧客が自動取引装置１近傍におり、顧客が継続しているか立ち去ったかどうかを確認する（ステップＳ２６、Ｓ２７、前述の図４のタイミングｔ０、ｔｊ）。
【００３９】
そして、顧客検知センサ部８により顧客が継続して検出できているときは、ステップＳ３４に進み、第２の監視時間Ｔ２を経過したかどうかを確認し、第２の監視時間Ｔ２を経過している場合は、顧客が継続している場合の受取りタイムアウトである前述の図４（２）のケースとなっており、シャッタ１４を閉じ（ステップＳ３８）、出金取引を終了する。
【００４０】
一方、ステップＳ３４にて、第２の監視時間Ｔ２を経過していないときは、紙幣が受け取られたかどうかを前述の光学センサ等にて確認し、受け取られ、紙幣の受取りが検出されなかった場合は、正常終了としてシャッタ１４を閉じて、出金取引を終了し、紙幣が受け取られず紙幣の受取りが検出された場合は、ステップＳ２７に戻り、顧客検知センサ部８により顧客が自動取引装置１近傍にいるかどうかを確認する（ステップＳ３５、Ｓ３６）。
【００４１】
そして、ステップＳ２７にて、顧客が自動取引装置１近傍におらず、顧客検知センサ部８により顧客が検出されないときは、第１の監視時間Ｔ１を経過したかどうかを確認し（ステップＳ２８）、経過しているときは、顧客が紙幣を取り忘れて立ち去った場合の受取りタイムアウトである前述の図４（１）（ｂ）のケースとなっており、シャッタ１４を閉じ（ステップＳ３８）、出金取引を終了する。
【００４２】
一方、ステップＳ２８の第１の監視時間Ｔ１の経過の確認において、第１の監視時間Ｔ１を経過してないときは、顧客検知センサ部８により人がいるかどうかを確認する（ステップＳ２９）。
【００４３】
そして、顧客検知センサ部８により人が自動取引装置１の近傍にいないと判定したときは、ステップＳ２８に戻り、第１の監視時間Ｔ１を経過しているどうかの判定を行い、以降の動作を同様に行う。
【００４４】
一方、ステップＳ２９にて、人が自動取引装置１の近傍にいると検知したときは、人の画像をカメラ部７にて撮影し人の画像を取得し、取得した人の画像から顔画像の特徴を顔認識プログラムにて抽出する（ステップＳ３１）。
【００４５】
そして、ステップＳ２４にてすでに格納してある取引開始時の顧客の特徴とのマッチングを行い（ステップＳ３２）、同一人物であると判定したときは（ステップＳ３３）、ステップＳ３４に進み、第２の監視時間Ｔ２を経過したかどうかを確認し、以降同様の動作を繰り返す。
【００４６】
一方、ステップＳ３３にて、同一人物でないと判定されたときは、顧客が立ち去り第１の監視時間Ｔ１経過前に人を検知し同一人でないと判定した場合である前述の図４（１）（ａ）のケースとなっており、タイミングｔｘにてシャッタ１４を閉じ（ステップＳ３７）、出金取引を終了する。この場合、実施例１と同様、第１の監視時間Ｔ１および第２の監視時間Ｔ２を経過する前であってもシャッタ１４を閉めることになる。
【００４７】
（実施例２の効果）
以上のように実施例２の自動取引装置によれば、顧客が装置近傍にいるか立ち去ったかどうかの検知を行う顧客検知センサを設けるようにしたので、実施例１の効果に加え、顧客の有無を検知するために、簡単な処理にて短時間に検知することができるようになるとともに、長時間、カメラを動作させておく必要がなくなり、省電力化が可能となる。
【００４８】
《その他の変形例》
以上の実施例の説明では、図３のステップＳ１４および図７のステップＳ３４にて第２の監視時間Ｔ２の経過を監視し、当該時間が経過したときはそれぞれステップＳ１８、ステップＳ３８にてシャッタを閉じるように説明したが、第２の監視時間Ｔ２の経過を監視することなく、そのままシャッタ１４を開いたままとして置くようにしてもよい。このようにすれば、顧客が継続している場合と、顧客がいなくなって第１の監視時間Ｔ１を経過する前に再び人を検知し顔認識により取引開始時の顧客であると識別できたときは、シャッタ１４を開けたままとすることができる。
【００４９】
また、以上の実施例の説明では、顧客がいなくなって第１の監視時間Ｔ１を経過する前に再び人を検知し図３のステップＳ１３および図７のステップＳ３３にて当該検知された人が顔認識により取引開始時の顧客であると識別できた場合、取引開始時の顧客が継続して居たとして第２の監視時間Ｔ２を監視するようにしたが、取引開始時の顧客であると識別できた場合であっても顔画像を抽出する顔画像抽出手段により別の顔が抽出されたときは、同ステップにおいて取引開始時の顧客と同一人物ではないと判定した場合と同様に、ステップＳ１７、ステップＳ３７にそれぞれ進み、シャッタ１４を閉じるようにしてもよい。
【００５０】
なお、顔画像抽出手段は、特開平６−１６２２０７号公報などにて開示された公知の技術を用いればよい。このようにすれば、横から別の者に現金等が盗まれることも防止することができる。
【００５１】
また、以上の実施例の説明では、取扱う金額に拘わらず、図３および図７の動作フローチャート図のように動作するように説明しが、取扱う金額が高額な場合であるときのみ、シャッタ１４を閉じるようにしてもよい。例えば、１０万円未満の取引の場合では、ステップＳ０８、Ｓ１３、Ｓ１４ではその判定結果にかかわらずシャッタ１４を閉じることなくそれぞれステップＳ０９、Ｓ１４、Ｓ１５に進み、ステップＳ２８、Ｓ３３、Ｓ３４ではその判定結果にかかわらずシャッタ１４を閉じることなくそれぞれステップＳ２９、Ｓ３４、Ｓ３５に進むようにし、１０万円以上の取引の場合は実施例記載の図３、図７の動作フローチャート図の動作をするようにしてもよい。
【００５２】
また、以上の実施例の説明では、第１の監視時間Ｔ１および第２の監視時間Ｔ２は固定である例として説明したが、高額出金のときはこれらの時間を短くまたは”０”とするようにしてもよい。
【００５３】
また、以上の実施例の説明では、現金を取り忘れて顧客が離れたときの警報については説明しなかったが、現金を取り忘れて顧客が離れたときに、高額な取引のときは、ブザーや音声ガイダンス等により取り忘れを報知するようにしてもよい。或いは、逆に、取り忘れを周囲の人に知られないようにするために、高額取引の場合は上記取り忘れの報知をしないようにし、高額取引でないときのみ上記のように取り忘れを報知するようにしてもよい。
【００５４】
また、ステップＳ０９、Ｓ１１〜Ｓ１３、Ｓ３０〜Ｓ３３の画像の取得、顔画像認識、比較処理に時間を要し、顧客識別の処理が遅れると、シャッタ１４を閉じる時間が遅れ、他人に現金等をとられるおそれが増加するため、顧客がいなくなったと判定した後にステップＳ１０、Ｓ２９にて人を検知したときは、一旦シャッタを閉じ、ステップ１３、Ｓ３３にて当該人が取引開始時の顧客であると識別できたときにシャッタ１４を開くようにしてもよい。
【００５５】
また、以上の実施例の説明では顔画像認識にて顧客識別を行うように説明したが、アイリス認識などの生態認証を用いて顧客識別を行うようにしてもよい。
【００５６】
また、以上の説明では顔画像認識やアイリス認識にて顧客識別を行うように説明したが、服の色や体格、性別などの簡単なマッチングにより取引開始時の顧客であるかどうかを判定し、取引開始時の顧客でないと判断したときは直ちにシャッタ１４を閉じ、一方、服の色や体格、性別などの簡単なマッチングで取引開始時の顧客と判定した場合にはさらに顔画像認識やアイリス認識にて顧客識別を行い、取引開始時の顧客でないと判断したときはシャッタ１４を閉じるようにしてもよい。
【００５７】
このようにすることにより、最初の顧客識別を服の色や体格などにより短時間に行い、取引開始時の顧客でないと判定したときは直ちにシャッタ１４を閉じることができ、取引開始時の顧客に似ている服や体格、性別の顧客が次ぎに来たときでも、顔画像認識やアイリス認識にて確実に顧客識別をし、シャッタ１４を閉じることができる。
【００５８】
また、以上の実施例および変形例をそれぞれ別に実施するのではなく、本発明の趣旨に基づいてこれらを組み合わせるようにしてもよい。
【産業上の利用可能性】
【００５９】
本発明は、防盗性を要しシャッタを有する現金自動預払機や現金処理装置などの自動取引装置に広く用いることができる。
【符号の説明】
【００６０】
１    自動取引装置
２    カード挿入口
３    通帳挿入口
４    紙幣入出金部
５    硬貨入出金部
６    操作部
７    カメラ部
９    主制御部
１０  記憶部
１０ａ  顔認識プログラム
１２    タイマー部
１４、１５  シャッタ
２１  カード処理部
２２  スピーカ部
【図１】
0005691871.tif 000002
【図２】
0005691871.tif 000003
【図３】
0005691871.tif 000004
【図４】
0005691871.tif 000005
【図５】
0005691871.tif 000006
【図６】
0005691871.tif 000007
【図７】
0005691871.tif 000008